(57)【要約】【課題】  本発明は、風水に関連して販売する販売方法を提供する。【解決手段】  収納箱を風水に関連する色とし、且つ、風水に関する説明書を添付して販売することによって、販売促進となる。【選択図】  図１
2006103716.tif 000002
【特許請求の範囲】
【請求項１】
空の収納箱を風水に関連する色とし、且つ、風水に関する説明書を添付して販売する方法。
【請求項２】
収納箱を風水に関連する色とし、且つ、その収納箱にプレゼントの品物を収納し、且つ、風水に関する説明書を添付して販売する方法。
【発明の詳細な説明】
【技術分野】
【０００１】
本発明は、風水に関連して販売する販売方法に関する。
【背景技術】
【０００２】
購買者は、自身が使用する目的で品物を購入する以外に、誕生日祝いや中元や御歳暮等の贈答品として、相手方に贈呈する目的のために購入している。そして、それらの品物を受け取った人は、その品物を取出した後の収納箱は、空箱として廃棄処分にしている。
【発明の開示】
【発明が解決しようとする課題】
【０００３】
上記のように、空箱は無用な物として扱われているので、その空箱の利用方法が必要であるし、何等かの付加価値を付けて販売促進を考える必要がある。
そのため、本願の発明では、消費者が興味をもって購入して貰えるような、販売方法を提供する。
【課題を解決するための手段】
【０００４】
請求項１の販売方法は、空の収納箱を風水に関連する色とし、且つ、風水に関する説明書を添付して販売する。このように、風水に関連する空の収納箱を、風水に関する説明書を添付して販売することによって、販売促進となる。
又、請求項２の販売方法は、収納箱を風水に関連する色とし、且つ、その収納箱にプレゼント品を収納し、且つ、風水に関する説明書を添付して販売する。この販売方法によって、プレゼント品を貰った者は、品物を使用後の空の収納箱に対し、風水の色が附してあるので、風水の収納箱として使用ができる。
【発明の効果】
【０００５】
請求項１の販売方法は、風水に関連する収納箱を説明書を添付して販売することによって、販売促進となる。
又、請求項２の販売方法は、プレゼント品を貰った者は、品物を使用後の収納箱に対し、風水の色が附してあるので、風水の収納箱として使用ができる。
【発明を実施するための最良の形態】
【０００６】
本発明を図を参照して説明する。図１は、外箱１ａに出し入れ可能な収納体１ｂで構成してある紙製等の収納箱１である。
そして、この収納箱１は、風水を意味するために、赤色（又は桃色）、青色、緑色、黄色の何れかに着色されている。又、収納箱１の表面には、後記で詳述する風水の収納箱として使用する場合に備えて、置く方角を示す標識２が表示してある。
【０００７】
この赤色は、風水としては受験、恋愛運を意味する。そして、風水的に願いが叶うためには、この赤色の収納箱１の中に受験票や恋人の写真などを入れて北の方角におく。
【０００８】
又、青色は、風水としては勉強、仕事、勝負運を意味し、風水的に願いが叶うためには、この青色の収納箱の中にペンや名詞等を入れて東の方角におく。
又、前記緑色は、風水としては美、才能、健康運を意味し、風水的に願いが叶うためには、この緑色の収納箱の中にアクセサリー、メガネなどを入れて南の方角におく。
又、黄色は、風水としては金運を意味し、風水的に願いが叶うためには、この黄色の収納箱の中に宝くじ、懸賞はがきなどを入れて西の方角におく。
【０００９】
前記各色の収納箱は、風水的に、受験運や、勉強運、才能運、金運等を意味する。そこで、係る意味付けのために、下記の販売方法がある。
（１）販売方法１
この販売方法１は、収納箱を空箱とし、風水の説明書を添付して販売するものである。例えば、空状態の収納箱を赤色（又は桃色）として、風水の説明書（赤色は、風水としては受験、恋愛運を意味する。そして、風水的に願いが叶えるために、この赤色の収納箱１の中に受験票や恋人の写真などを入れて北の方角におく。）を添付して販売する。
この販売方法は、購買者が風水に興味を持ち、特定の「運」に対してのみ、収納箱として購入する場合に好都合である。この場合、購入者が望んでいる「運」に対する、色の収納箱だけを購入すればよいので、最も、安価に購入することができる。
【００１０】
（２）販売方法２
この販売方法２は、収納箱を空箱として販売するものであるが、異なる色（例えば、赤、青の空の収納箱の組合せ等）の収納箱と共に風水の説明書を添付して販売する。
この販売方法２は、購買者が複数の「運」に対する風水に興味を持つ場合に、空の収納箱として購入する場合に好都合である。
尚、複数個の空の収納箱の組合せは、適宜、選定できる。
【００１１】
（３）販売方法３
この販売方法３は、プレセント品を収納箱に入れ、且つ、風水の説明書を添付して販売する方法であり、１個の収納箱を販売する方法である。
（イ）赤色の箱は、受験、恋愛運を意味するので、クリスマスやバレンタインデー等に、この赤色の収納箱の中に贈物を入れて贈呈する。そして、若し、被贈呈者が風水に関心があるなら、その収納箱の「赤色」をみて、この赤色の収納箱が空になった後に、風水的に受験や恋愛を叶えるために、この空箱に受験票や恋人の写真などを入れて北の方角におく。赤色の空箱の有効利用を図ることができる。
（ロ）同様に、青色の収納箱は、勉強運等であるので、入学祝いや、就職祝いのプレゼント品を入れて贈呈すると、風水的な願いを叶えるために、この空の青色の収納箱が空になった後に、ペンや名詞等を入れて東の方角におく。青色の空箱の有効利用を図ることができる。
【００１２】
（ハ）又、緑色の収納箱は、風水としては美、才能、健康運を意味するので、敬老の日等にプレゼントを入れて贈呈する。
そして、風水的に願いが叶うためには、この緑色の収納箱が空になった後に、この収納箱の中にアクセサリー、メガネなどを入れて南の方角におく。緑色の空箱の有効利用を図ることができる。
（ニ）又、黄色の収納箱は金運等であるので、お年賀等のプレゼント品を入れて贈呈すると、この黄色の収納箱が空になった後に、宝くじや懸賞はがきなどを入れて西の方角におく。黄色の空箱の有効利用を図ることができる。
【００１３】
以上のように、収納箱の色を風水を考慮して、プレセント品を入れて贈呈すると、その風水に関心がある被贈呈者は、その空箱に願いが叶うものを入れて、予め決められた方角に置いておくことができる。このように、空箱の有効利用を図ることができる収納箱は、新たな贈呈物の販売方法である。尚、この収納箱１は、表面に表示の標識２に、置く方角が表示してあるので、間違いなく置くことができる。
【００１４】
（４）販売方法４
この販売方法は、前記の販売方法３と異なり、被贈呈者があらゆる方位に興味を持つことを想定して、赤、青、黄色、緑の収納箱に、プレゼント品を入れ、且つ、風水の説明書を添付して販売する方法である。
このように、四種類の色の収納箱にプレゼント品を入れて贈呈すると、被贈呈者が風水に対して、現在興味がある「運」について願いを叶えるために、特定の色の収納箱の中身を取り出した後に、その空箱に、前記した特定のものを入れて、特定の方位におくことができる。
尚、このように４種類の色の組合せとして販売する方法の他に、２種類、３種類のような組合せで販売してもよいことは言うまでもない。
【００１５】
以上のように、風水として関連ある色の収納箱に、プレゼント品を入れて贈呈することは、被贈呈者が風水に興味があれば、風水に関連ある色の空箱を得ることができるてうれしく思い、空箱の有効利用を図ることできるので、商品販売の促進に繋がる。又、空の箱であっても、風水の説明書と収納箱の表面に表示の標識２によって、置く方角が判るので間違いなく置くことができる。
【００１６】
尚、収納箱に入れるプレゼント品は、風水とは必ずしも関連する品物である必要がなく、本願発明は、少なくとも、収納箱が風水の色に関係していることをもって、その収納箱の有効利用を図るものであり、収納箱の形状等は、図１に限定されないことは言うまでもない。
【図面の簡単な説明】
【００１７】
【図１】収納箱の外観図である。
【符号の説明】
【００１８】
１  収納箱
１ａ  外箱
１ｂ  収納体
２  標識
【図１】
2006103716.tif 000003